(57)【要約】【課題】引っ掛け機能を有する箱体において、係止部と背面部との間の隙間を大きく確保することができ、厚さの厚い引っ掛け箇所でも引っ掛けることができる箱体を提供する。【解決手段】箱体Ａにおいては、背面部本体３２に切込み１２０が形成され、右側面部２０には、切込み１２０の右側面側の端部から連続した切込み１２２が形成され、左側面部４０には、切込み１２０の左側面側の端部から連続した切込み１２４が形成されている。また、切込み１２２からは上方に鉛直方向に折れ線Ｃ１０が形成され、切込み１２４からは上方に鉛直方向に折れ線Ｃ１６が形成されている。背面部本体３２は、切込み１２０を介して下側片部３２−１と上側片部３２−２に区画され、上側片部３２−２は、下方に突出する突状部３２−２ａを有している。【選択図】図１
0003196128.tif 000002
【実用新案登録請求の範囲】
【請求項１】
箱体であって、
正面部（１２）と右側面部（２０）と左側面部（４０）と背面部（３０）とを有するスリーブ状部（５）と、
スリーブ状部の下端に設けられた底面部（５０）とを有し、
背面部は、背面部の右側面側の端部から左側面側の端部まで形成された第１切目線（１２０）の下側の領域である下側片部（３２−１）と該第１切目線の上側の領域である上側片部（３２−２）とを有し、
上側片部は、右側面部から折れ線を介して連設されるとともに左側面部から折れ線を介して連設された基部（３２−２ｂ）と、基部から下方に突出して形成された突状部（３２−２ａ）とを有し、
右側面部には、第１切目線の右側面側の端部から連続した第２切目線（１２２）が形成されるとともに、右側面部と背面部間に設けられた第１折れ線（Ｃ１１）と略平行な第２折れ線（Ｃ１０）が第２切目線と右側面部の上端間に第１折れ線と間隔を介して形成され、
左側面部には、第１切目線の左側面側の端部から連続した第３切目線（１２４）が形成されるとともに、左側面部と背面部間に設けられた第３折れ線（Ｃ１５）と略平行な第４折れ線（Ｃ１６）が第３切目線と右側面部の上端間に第３折れ線と間隔を介して形成されていることを特徴とする箱体。
【請求項２】
第１折れ線と第２折れ線間の長さと第３折れ線と第４折れ線間の長さとが略同一に形成されていることを特徴とする請求項１に記載の箱体。
【請求項３】
突状部は上側片部の左右方向における略中央位置に設けられ、上側片部には、突状部の右側面側の端部と突状部の右側面側の辺部のいずれかから上方に第１折れ線と略平行な第５折れ線（Ｃ１３）が形成され、突状部の左側面側の端部と突状部の左側面側の辺部のいずれかから上方に第３折れ線と略平行な第６折れ線（Ｃ１４）が形成され、第５折れ線と第１折れ線間の長さと第６折れ線と第３折れ線間の長さとが略同一に形成され、
上側片部を下側片部に対して背面側に押すことにより、右側面部における第２折れ線よりも背面側の領域である右側面部部分領域（２１ａ）が、右側面部における右側面部部分以外の領域である右側面部本体領域（２１ｂ）に対して第２折れ線を介して回動し、上側片部における第５折れ線よりも右側面側の領域である上側片部右側面側領域（３３ａ）が右側面部部分領域に対して第１折れ線を介して回動し、左側面部における第４折れ線よりも背面側の領域である左側面部部分領域（４１ａ）が、左側面部における左側面部部分以外の領域である左側面部本体領域（４１ｂ）に対して第４折れ線を介して回動し、上側片部における第６折れ線よりも左側面側の領域である上側片部左側面側領域（３３ｃ）が左側面部部分領域に対して第３折れ線を介して回動し、上側片部における第５折れ線と第６折れ線間の領域である上側片部中央領域（３３ｂ）が下側片部に対して背面側に移動することを特徴とする請求項２に記載の箱体。
【請求項４】
背面部の上側片部の上辺から連設され、上側片部の正面側又は背面側に折り返して形成された折返し片部で、上側片部の正面側の面又は背面側の面に接着された折返し片部（３４）が設けられ、折返し片部は、上側片部右側面側領域の少なくとも一部に対応した折返し片部右側面側領域（３５ａ）と、上側片部中央領域の少なくとも一部に対応した折返し片部中央領域（３５ｂ）と、上側片部左側面側領域の少なくとも一部に対応した折返し片部左側面側領域（３５ｃ）とを有し、折返し片部中央領域と折返し片部右側面側領域間には、第５折れ線に沿って第７折れ線（Ｃ２３）が形成され、折返し片部中央領域と折返し片部左側面側領域間には、第６折れ線に沿って第８折れ線（Ｃ２４）が形成されていることを特徴とする請求項３に記載の箱体。
【請求項５】
折返し片部は、上側片部の正面側に折り返して上側片部の正面側の面に接着され、
折返し片部右側面側領域の下辺は、上側片部右側面側領域の下辺の上側片部右側面側領域における内側に沿って形成され、
折返し片部左側面側領域の下辺は、上側片部左側面側領域の下辺の上側片部左側面側領域における内側に沿って形成され、
折返し片部中央領域の辺部で、折返し片部右側面側領域の下辺及び折返し片部左側面側領域の下辺から連設された辺部は、上側片部の突状部の辺部の上側片部の突状部における内側に沿って形成されていることを特徴とする請求項４に記載の箱体。
【請求項６】
底面部は、右側面部の下辺から連設された第１片部と、背面部の下辺から連設された第２片部と、正面部の下辺から連設された第３片部と、左側面部の下辺から連設された第４片部により形成され、スリーブ状部における隣接する各部を互いに直角にすることにより底面部が略方形状の外形を有することを特徴とする請求項１又は２又は３又は４又は５に記載の箱体。
【請求項７】
正面部の上辺から折れ線を介して連設された第２折返し片部（１４）と、第２折返し片部の正面部とは反対側の辺部から折れ線を介して連設された内底面部（１６）とを有し、
スリーブ状部を畳んだ折り畳み状態においては、第２折返し片部と内底面部とは正面部の上方に立設し、
スリーブ状部を四角筒状とした組立て状態においては、第２折返し片部が正面部の背面側に折り返され、内底面部は、底面部の上面に配置されることを特徴とする請求項１又は２又は３又は４又は５又は６に記載の箱体。
【請求項８】
底面部は、右側面部の下辺から連設された第１片部と、背面部の下辺から連設された第２片部と、正面部の下辺から連設された第３片部と、左側面部の下辺から連設された第４片部により形成され、スリーブ状部における隣接する各部を互いに直角にすることにより底面部が略方形状の外形を有し、
正面部の上辺から折れ線を介して連設された第２折返し片部（１４）と、第２折返し片部の正面部とは反対側の辺部から折れ線を介して連設された内底面部（１６）とを有し、第３片部の正面部側の端部には、穴部が形成され、第２折返し片部と内底面部の境界に沿って略コ字状の切込みを形成することにより第２折返し片部の内底面部側に突部が形成され、
スリーブ状部を畳んだ折り畳み状態においては、第２折返し片部と内底面部とは正面部の上方に立設し、
スリーブ状部を四角筒状とした組立て状態においては、第２折返し片部が正面部の背面側に折り返されて、突部が穴部と嵌合し、内底面部は、底面部の上面に配置されることを特徴とする請求項１又は２又は３又は４又は５に記載の箱体。
【考案の詳細な説明】
【技術分野】
【０００１】
本考案は、箱体に関するものであり、特に、引っ掛け機能を有する箱体に関するものである。
【背景技術】
【０００２】
従来より、引っ掛け機能を有する箱体として、特許文献１に記載のカートンが存在する。特許文献１に記載のカートン１００は、正面板１、左側面板２、背面板３、右側面板４が連設された筒状の上端に天面板５が設けられ、筒状の下端に底面板６が設けられ、背面板３には切り込み７ａが設けられることにより、係止舌片７が設けられている。また、係止舌片７には、上下方向に向かう山折線８が設けられ、また、切り込み７ａから下方向に向かう谷折線９が設けられ、係止舌片７をポケットやベルト等に引っ掛けることができるものである。
【先行技術文献】
【特許文献】
【０００３】
【特許文献１】特開２０１２−２１８７９６号公報
【考案の概要】
【考案が解決しようとする課題】
【０００４】
しかし、特許文献１のカートンにおいては、切り込み７ａが背面板３のみに設けられているので、係止舌片７と係止舌片７よりも下の背面板３との間に隙間を大きく得ることができず、厚さの厚い引っ掛け箇所に引っ掛けることができないという問題があった。
【０００５】
そこで、本考案が解決しようとする問題点は、引っ掛け機能を有する箱体において、係止部と背面部との間の隙間を大きく確保することができ、厚さの厚い引っ掛け箇所でも引っ掛けることができる箱体を提供することを目的とする。
【課題を解決するための手段】
【０００６】
本考案は上記問題点を解決するために創作されたものであって、第１には、箱体であって、正面部（１２）と右側面部（２０）と左側面部（４０）と背面部（３０）とを有するスリーブ状部（５）と、スリーブ状部の下端に設けられた底面部（５０）とを有し、背面部は、背面部の右側面側の端部から左側面側の端部まで形成された第１切目線（１２０）の下側の領域である下側片部（３２−１）と該第１切目線の上側の領域である上側片部（３２−２）とを有し、上側片部は、右側面部から折れ線を介して連設されるとともに左側面部から折れ線を介して連設された基部（３２−２ｂ）と、基部から下方に突出して形成された突状部（３２−２ａ）とを有し、右側面部には、第１切目線の右側面側の端部から連続した第２切目線（１２２）が形成されるとともに、右側面部と背面部間に設けられた第１折れ線（Ｃ１１）と略平行な第２折れ線（Ｃ１０）が第２切目線と右側面部の上端間に第１折れ線と間隔を介して形成され、左側面部には、第１切目線の左側面側の端部から連続した第３切目線（１２４）が形成されるとともに、左側面部と背面部間に設けられた第３折れ線（Ｃ１５）と略平行な第４折れ線（Ｃ１６）が第３切目線と右側面部の上端間に第３折れ線と間隔を介して形成されていることを特徴とする。
【０００７】
第１の構成の箱体によれば、右側面部における第２折れ線よりも背面側の領域である右側面部部分領域を内側に回動させるとともに、左側面部における第４折れ線よりも背面側の領域である左側面部部分領域を内側に回動させることにより、上側片部の左右両側の端部間の距離が短くなるので、上側片部における突状部が形成された領域（係止部に当たる）と下側片部との間に前後方向に隙間が形成され、該隙間に引っ掛け対象物に引っ掛けることができる。特に、右側面部部分領域や左側面部部分領域を内側に回動させることにより、該隙間を大きくでき、厚みのある引っ掛け箇所でも引っ掛けることができる。
【０００８】
また、第２には、上記第１の構成において、第１折れ線と第２折れ線間の長さと第３折れ線と第４折れ線間の長さとが略同一に形成されていることを特徴とする。
【０００９】
また、第３には、上記第２の構成において、突状部は上側片部の左右方向における略中央位置に設けられ、上側片部には、突状部の右側面側の端部と突状部の右側面側の辺部のいずれかから上方に第１折れ線と略平行な第５折れ線（Ｃ１３）が形成され、突状部の左側面側の端部と突状部の左側面側の辺部のいずれかから上方に第３折れ線と略平行な第６折れ線（Ｃ１４）が形成され、第５折れ線と第１折れ線間の長さと第６折れ線と第３折れ線間の長さとが略同一に形成され、上側片部を下側片部に対して背面側に押すことにより、右側面部における第２折れ線よりも背面側の領域である右側面部部分領域（２１ａ）が、右側面部における右側面部部分以外の領域である右側面部本体領域（２１ｂ）に対して第２折れ線を介して回動し、上側片部における第５折れ線よりも右側面側の領域である上側片部右側面側領域（３３ａ）が右側面部部分領域に対して第１折れ線を介して回動し、左側面部における第４折れ線よりも背面側の領域である左側面部部分領域（４１ａ）が、左側面部における左側面部部分以外の領域である左側面部本体領域（４１ｂ）に対して第４折れ線を介して回動し、上側片部における第６折れ線よりも左側面側の領域である上側片部左側面側領域（３３ｃ）が左側面部部分領域に対して第３折れ線を介して回動し、上側片部における第５折れ線と第６折れ線間の領域である上側片部中央領域（３３ｂ）が下側片部に対して背面側に移動することを特徴とする。
【００１０】
よって、上側片部中央領域（これが係止部に当たる）は、下側片部と平行に背面側にスライドするので、上側片部中央領域と下側片部間の隙間の幅を略均一にでき、引っ掛け対象物を引っ掛けしやすくできる。
【００１１】
また、第４には、上記第３の構成において、背面部の上側片部の上辺から連設され、上側片部の正面側又は背面側に折り返して形成された折返し片部で、上側片部の正面側の面又は背面側の面に接着された折返し片部（３４）が設けられ、折返し片部は、上側片部右側面側領域の少なくとも一部に対応した折返し片部右側面側領域（３５ａ）と、上側片部中央領域の少なくとも一部に対応した折返し片部中央領域（３５ｂ）と、上側片部左側面側領域の少なくとも一部に対応した折返し片部左側面側領域（３５ｃ）とを有し、折返し片部中央領域と折返し片部右側面側領域間には、第５折れ線に沿って第７折れ線（Ｃ２３）が形成され、折返し片部中央領域と折返し片部左側面側領域間には、第６折れ線に沿って第８折れ線（Ｃ２４）が形成されていることを特徴とする。
【００１２】
よって、折返し片部を上側片部に接着させることにより、上側片部を補強することができる。
【００１３】
また、第５には、上記第４の構成において、折返し片部は、上側片部の正面側に折り返して上側片部の正面側の面に接着され、折返し片部右側面側領域の下辺は、上側片部右側面側領域の下辺の上側片部右側面側領域における内側に沿って形成され、折返し片部左側面側領域の下辺は、上側片部左側面側領域の下辺の上側片部左側面側領域における内側に沿って形成され、折返し片部中央領域の辺部で、折返し片部右側面側領域の下辺及び折返し片部左側面側領域の下辺から連設された辺部は、上側片部の突状部の辺部の上側片部の突状部における内側に沿って形成されていることを特徴とする。
【００１４】
よって、上側片部の下辺領域には、折返し片部が設けられていないので、上側片部の下端を下側片部の上端の間に間隔を形成した際に、上側片部と折返し片部からなる引っ掛け部における下端領域（つまり、折返し片部が設けられていない領域）と下側片部との間の間隔をなるべく大きくすることができ、引っ掛け部を引っ掛け対象物に引っ掛ける際に、容易に引っ掛けることができる。
【００１５】
また、第６には、上記第１から第５までのいずれかの構成において、底面部は、右側面部の下辺から連設された第１片部と、背面部の下辺から連設された第２片部と、正面部の下辺から連設された第３片部と、左側面部の下辺から連設された第４片部により形成され、スリーブ状部における隣接する各部を互いに直角にすることにより底面部が略方形状の外形を有することを特徴とする。
【００１６】
また、第７には、上記第１から第６までのいずれかの構成において、正面部の上辺から折れ線を介して連設された第２折返し片部（１４）と、第２折返し片部の正面部とは反対側の辺部から折れ線を介して連設された内底面部（１６）とを有し、スリーブ状部を畳んだ折り畳み状態においては、第２折返し片部と内底面部とは正面部の上方に立設し、スリーブ状部を四角筒状とした組立て状態においては、第２折返し片部が正面部の背面側に折り返され、内底面部は、底面部の上面に配置されることを特徴とする。
【００１７】
よって、内底面部が水平に配置されるので、底面部が折り畳んだ状態となるのを防止することができる。
【００１８】
また、第８には、上記第１から第５までのいずれかの構成において、底面部は、右側面部の下辺から連設された第１片部と、背面部の下辺から連設された第２片部と、正面部の下辺から連設された第３片部と、左側面部の下辺から連設された第４片部により形成され、スリーブ状部における隣接する各部を互いに直角にすることにより底面部が略方形状の外形を有し、正面部の上辺から折れ線を介して連設された第２折返し片部（１４）と、第２折返し片部の正面部とは反対側の辺部から折れ線を介して連設された内底面部（１６）とを有し、第３片部の正面部側の端部には、穴部が形成され、第２折返し片部と内底面部の境界に沿って略コ字状の切込みを形成することにより第２折返し片部の内底面部側に突部が形成され、スリーブ状部を畳んだ折り畳み状態においては、第２折返し片部と内底面部とは正面部の上方に立設し、スリーブ状部を四角筒状とした組立て状態においては、第２折返し片部が正面部の背面側に折り返されて、突部が穴部と嵌合し、内底面部は、底面部の上面に配置されることを特徴とする。
【００１９】
よって、第２折返し片部の下端が固定され、さらに、内底面部が水平に配置されるので、底面部が折り畳んだ状態となるのを防止することができる。
【００２０】
なお、上記の構成において、上側片部における左右方向の中央位置に第１折れ線と略平行な第９折れ線が形成され、さらに、折返し片部において、第９折れ線に沿って第１０折れ線が形成されているものとしてもよい。
【考案の効果】
【００２１】
本考案に基づく箱体によれば、右側面部における第２折れ線よりも背面側の領域である右側面部部分領域を内側に回動させるとともに、左側面部における第４折れ線よりも背面側の領域である左側面部部分領域を内側に回動させることにより、上側片部の左右両側の端部間の距離が短くなるので、上側片部における突状部が形成された領域と下側片部との間に前後方向に隙間が形成され、該隙間に引っ掛け対象物に引っ掛けることができる。特に、右側面部部分領域や左側面部部分領域を内側に回動させることにより、該隙間を大きくでき、厚みのある引っ掛け箇所でも引っ掛けることができる。
【図面の簡単な説明】
【００２２】
【図１】本実施例の箱体を示す前方斜視図である。
【図２】本実施例の箱体を示す後方斜視図である。
【図３】本実施例の箱体を示す正面図である。
【図４】本実施例の箱体を示す底面図である。
【図５】本実施例の箱体を示す展開図である。
【図６】図５の要部拡大図である。
【図７】本実施例の箱体を折り畳んだ状態を示す平面図である。
【図８】本実施例の箱体の使用状態を示す前方斜視図である。
【図９】本実施例の箱体の使用状態を示す前方斜視図である。
【図１０】本実施例の箱体の使用状態を示す前方斜視図である。
【図１１】本実施例の箱体の使用状態を示す後方斜視図である。
【図１２】本実施例の箱体の使用状態を示す平面図である。
【図１３】本実施例の箱体の使用状態を示す前方斜視図である。
【図１４】本実施例の箱体の使用状態を示す平面図である。
【考案を実施するための形態】
【００２３】
本考案においては、引っ掛け機能を有する箱体において、係止部と背面部との間の隙間を大きく確保することができ、厚さの厚い引っ掛け箇所でも引っ掛けることができる箱体を提供するという目的を以下のようにして実現した。
【００２４】
本考案に基づく箱体Ａは、図１〜図６に示すように構成され、正面構成部１０と、正面構成部１０から連設された内底面部１６と、正面構成部１０から連設された右側面部２０と、右側面部２０から連設された背面部３０と、背面部３０から連設された左側面部４０と、正面構成部１０から連設された糊代部４５と、底面部５０とを有している。箱体Ａは、図５に示すように、全体に１枚のシート状のブランク（具体的には、段ボール製（例えば、薄型段ボール製）のブランクであり、厚紙製のブランク等の他の紙製のブランクでもよい）により形成されている。つまり、箱体Ａは、段ボール材（特に、両面段ボール材）等の紙製の箱体である。段ボールにおける断面略波形形状の中芯の段の方向は、図５における円内に示す方向となっていて、辺部２０ｂ、２０ｆや折れ線Ｃ１０、Ｃ１１、Ｃ１５、Ｃ１６と平行な方向であり、スリーブ状部５の下辺（例えば、右側面部２０の辺部２０ａ、背面部本体３２の下辺３２ａ）に対して直角な方向である。
【００２５】
ここで、正面構成部１０は、略方形状（具体的には、横長の略長方形状）を呈する正面部１２と、正面部１２の上辺から折れ線を介して連設された略方形状（具体的には、横長の略長方形状）を呈する折返し片部１４とを有している。
【００２６】
正面部１２は、方形状（具体的には、横長の長方形状）の本体部１２−１と、本体部１２−１の下端から下方に突出して形成された帯状の突状部１２−２、１２−３を有している。突状部１２−２と突状部１２−３とは間隔を介して設けられている。突状部１２−２は、正面部１２と第３片部８０間に形成された略コ字状の切込み１００を形成することにより形成され、突状部１２−３は、正面部１２と第３片部８０間に形成された略コ字状の切込み１０２を形成することにより形成されている。
【００２７】
また、折返し片部１４は、方形状（具体的には、横長の長方形状）の本体部１４−１と、本体部１４−１の下端から下方に突出して形成された帯状の突状部１４−２、１４−３を有している。突状部１４−２と突状部１４−３とは間隔を介して設けられている。突状部１４−２は、折返し片部１４と内底面部１６間に形成された略コ字状の切込み１１０を形成することにより形成され、突状部１４−３は、折返し片部１４と内底面部１６間に形成された略コ字状の切込み１１２を形成することにより形成されている。
【００２８】
突状部１２−２と突状部１２−３と突状部１４−２と突状部１４−３とは左右方向に同じ長さに形成されていて、突状部１２−２と突状部１４−２とは左右方向に同じ位置に形成され、突状部１２−３と突状部１４−３とは左右方向に同じ位置に形成され、突状部１４−２が、突状部１２−２により形成される穴部に嵌合するとともに、突状部１４−３が、突状部１２−３により形成される穴部に嵌合するように構成されている。
【００２９】
折返し片部１４の高さ方向の長さは、正面部１２の高さ方向の長さと略同一に（具体的には、若干短く）形成され、折返し片部１４の左右方向の長さは、正面部１２の左右方向の長さと同一（略同一としてもよい）に形成されている。
【００３０】
また、内底面部１６は、折返し片部１４の正面部１２側とは反対側の辺部から折れ線を介して連設され、略方形状（具体的には、横長の長方形状に突状部１４−２、１４−３に対応する凹部を形成した形状）に形成されている。内底面部１６は、正面部１２と右側面部２０と背面部３０と左側面部４０とにより形成されているスリーブ状部５内に収納可能な大きさに形成され、内底面部１６の左右方向の長さは、折返し片部１４の左右方向の長さと同一（略同一としてもよい）に形成され、内底面部１６の前後方向の長さは、右側面部２０と左側面部４０の横方向の長さと略同一に（具体的には、若干短く）形成されている。
【００３１】
また、右側面部２０は、方形状における正面上側を斜めに欠切した形状を呈し、下側を構成する方形状の上側に台形形状をつないだ形状を呈している。
【００３２】
すなわち、右側面部２０は、第１片部６０との間の折れ線と一致する直線状の辺部２０ａと、辺部２０ａから連設され、正面部１２との間の折れ線と一致する直線状の辺部２０ｂと、辺部２０ｂの上端から連設され、背面側にいくほど上方となるように傾斜した直線状の辺部２０ｃと、辺部２０ｃの上端から連設され、円弧状に形成された辺部２０ｄと、辺部２０ｄの辺部２０ｃとは反対側の辺部から連設され、辺部２０ａと平行に直線状に形成された辺部２０ｅと、辺部２０ｅの背面側の端部から連設され、背面部本体３２との間の折れ線と一致する直線状の辺部２０ｆとにより囲まれた形状を呈している。
【００３３】
なお、右側面部２０には、背面部本体３２に形成された切込み１２０の端部から連設された切込み（第２切目線）１２２が形成されている。この切込み１２２は、切込み１２０から連設され、水平方向（辺部２０ａと平行な方向）に形成された横方向部１２２−１と、横方向部１２２−１の切込み１２０側とは反対側の端部に下方に向けて円弧状に形成された円弧状部１２２−２とを有している。
【００３４】
また、切込み１２２の正面側の端部付近（横方向部１２２−１の正面側の端部としてもよい）からは上方に折れ線（第２折れ線）Ｃ１０が形成され、折れ線Ｃ１０は、折れ線Ｃ１１（後述）と平行に形成されている。折れ線Ｃ１０と折れ線Ｃ１１とは間隔を介して形成されている。
【００３５】
右側面部２０に切込み１２２と折れ線Ｃ１０が形成されていることにより、折れ線Ｃ１０よりも背面側の領域が右側面部部分領域２１ａとなり、右側面部２０において、右側面部部分領域２１ａ以外の領域が右側面部本体領域２１ｂとなる。
【００３６】
また、背面部３０は、右側面部２０から折れ線（第１折れ線）Ｃ１１を介して連設された背面部本体３２と、背面部本体３２の上辺３２ｃから連設され、背面部本体３２の正面側の面に折り返して接着された折返し片部３４とを有している。なお、背面部本体３２における上側片部３２−２（後述）と折返し片部３４とが接着されているが、上側片部３２−２と折返し片部３４により引っ掛け部３８が形成される。
【００３７】
ここで、背面部本体３２は、方形状を呈し、左右方向の長さは、正面部１２の左右方向の長さと同一で、上下方向の長さは、右側面部２０の背面側の端部における上下方向の長さや左側面部４０の背面側の端部における上下方向の長さと同一となっている。つまり、背面部本体３２の上辺は、右側面部２０の上辺（辺部２０ｅ）の延長線上にあり、左側面部４０の上辺の延長線上にある。
【００３８】
この背面部本体３２は、背面部本体３２の右側面側の端部から左側面側の端部にまで形成された切目線としての切込み（第１切目線）１２０を介して下側片部３２−１と上側片部３２−２とに区画されている。すなわち、切込み１２０は、切込み１２２から連設され、水平方向（背面部本体３２の下辺３２ａと平行な方向）に直線状に形成された切込み１２０ａと、切込み１２０ａの切込み１２２とは反対側の端部から連設され、下向きに湾曲した円弧状の切込み１２０ｂと、切込み１２０ｂの切込み１２０ａとは反対側の端部から連設され、鉛直方向（背面部本体３２の右辺３２ｂや左辺３２ｄと平行な方向）に直線状に形成された切込み１２０ｃと、切込み１２０ｃの切込み１２２ｂとは反対側の端部から連設され、左側面側に湾曲した円弧状の切込み１２０ｄと、切込み１２０ｄの切込み１２０ｃとは反対側の端部から連設され、水平方向（背面部本体３２の下辺と平行な方向）に直線状に形成された切込み１２０ｅと、切込み１２０ｅの切込み１２２ｄとは反対側の端部から連設され、上向きに湾曲した円弧状の切込み１２０ｆと、切込み１２０ｆの切込み１２０ｅとは反対側の端部から連設され、鉛直方向（背面部本体３２の右辺３２ｂや左辺３２ｄと平行な方向）に直線状に形成された切込み１２０ｇと、切込み１２０ｇの切込み１２２ｆとは反対側の端部から連設され、左側面側に湾曲した円弧状の切込み１２０ｈと、切込み１２０ｈの切込み１２０ｇとは反対側の端部から連設され、水平方向（背面部本体３２の下辺と平行な方向）に直線状に形成され、切込み１２４と連設された切込み１２０ｅとを有している。なお、切込み１２０は、左右対称に形成されている。切込み１２０は、上記のように形成されているので、上側片部３２−２は下向きに凸形状に形成され、下側片部３２−１は、凹形状に形成されているといえる。切込み１２０は、ブランクの表側の面から裏側の面まで貫通して形成されている。なお、切込み１２０の代わりに、ミシン目状などの切断予定線により形成してもよい。すなわち、上記のように切込みにより形成した切目線ではなく、ミシン目状などの切断予定線により形成された切目線としてもよい。
【００３９】
また、上側片部３２−２には、鉛直方向に折れ線が形成され、切込み１２０ｂの位置に形成された折れ線（第５折れ線）Ｃ１３と、切込み１２０ｈの位置に形成された折れ線（第６折れ線）Ｃ１４とが形成されている。つまり、折れ線Ｃ１３は、突状部３２−２ａ（後述）の右側面側の辺部から上方に形成され、折れ線Ｃ１４は、突状部３２−２ａの左側面側の辺部から上方に形成されている。なお、折れ線Ｃ１３を突状部３２−２ａの右側面側の端部（切込み１２０ｂの右側面側の端部）から形成し、折れ線Ｃ１４を突状部３２−２ａの左側面側の端部（切込み１２０ｈの左側面側の端部）から形成してもよい。
また、折れ線Ｃ１３を切込み１２０ｂの左側面側の端部から形成し、折れ線Ｃ１４を切込み１２０ｈの右側面側の端部）から形成してもよい（この場合も、折れ線Ｃ１３は、突状部３２−２ａの右側面側の辺部から上方に形成され、折れ線Ｃ１４は、突状部３２−２ａの左側面側の辺部から上方に形成されているといえる）。折れ線Ｃ１３、Ｃ１４はいずれも鉛直方向（折れ線Ｃ１１や折れ線Ｃ１５と平行な方向）に形成されている。折れ線Ｃ１３と折れ線Ｃ１１間の長さと折れ線Ｃ１４と折れ線Ｃ１５間の長さは同一（略同一としてもよい）に形成されている。
【００４０】
上側片部３２−２において、折れ線Ｃ１３よりも右側面側の領域が上側片部右側面側領域３３ａとなり、折れ線Ｃ１３と折れ線Ｃ１４間の領域が上側片部中央領域３３ｂとなり、折れ線Ｃ１４よりも左側面側の領域が上側片部左側面側領域３３ｃとなる。
【００４１】
上側片部中央領域３３ｂは、上側片部右側面側領域３３ａや上側片部左側面側領域３３ｃよりも下方に突出して形成され、上側片部３２−２は、下方に突出した突状部３２−２ａと、上側片部３２−２における突状部３２−２ａ以外の領域である基部３２−２ｂとを有している。
【００４２】
また、折返し片部３４は、下向き凸形状を呈し（箱体Ａの展開状態においては上向き凸形状を呈している）、鉛直方向の直線状の辺部３４−１と、辺部３４−１の下端から連設され、左側面側に湾曲した円弧状の辺部３４−２と、辺部３４−２の辺部３４−１とは反対側の端部から連設され、水平方向（背面部本体３２との間の折れ線Ｃ１７と平行な方向）に形成された直線状の辺部３４−３と、辺部３４−３の辺部３４−２とは反対側の端部から連設され、下向きに湾曲した円弧状の辺部３４−４と、辺部３４−４の辺部３４−３とは反対側の端部から連設され、鉛直方向に下向きに伸びた直線状の辺部３４−５と、辺部３４−５の下端から連設され、左側面側に湾曲した円弧状の辺部３４−６と、辺部３４−６の辺部３４−５とは反対側の端部から連設され、水平方向に形成された直線状の辺部３４−７と、辺部３４−７の辺部３４−６とは反対側の端部から連設され、上向きに湾曲した円弧状の辺部３４−８と、辺部３４−８の辺部３４−７とは反対側の端部から連設され、鉛直方向に上向きに伸びた直線状の辺部３４−９と、辺部３４−９の辺部３４−８とは反対側の端部から連設され、左側面側に湾曲した円弧状の辺部３４−１０と、辺部３４−１０の辺部３４−９とは反対側の端部から連設され、水平方向に形成された直線状の辺部３４−１１と、辺部３４−１１の辺部３４−１０とは反対側の端部から連設され、上向きに湾曲した円弧状の辺部３４−１２と、辺部３４−１２の辺部３４−１１とは反対側の端部から連設され、鉛直方向に上向きに伸びた直線状の辺部３４−１３とを有している。
【００４３】
ここで、辺部３４−３〜辺部３４−１１は、切込み１２０に沿って形成され、切込み１２０よりも上側片部３２−２側の内側に沿って形成されている。つまり、辺部３４−３は、切込み１２０ａの上側に沿って形成され、辺部３４−４は、切込み１２０ｂの上側及び内側（背面部本体３２の中央側）に切込み１２０ｂに沿って形成され、辺部３４−５は、切込み１２０ｃの内側に切込み１２０ｃに沿って形成され、辺部３４−６は、切込み１２０ｄの上側及び内側に切込み１２０ｄに沿って形成され、辺部３４−７は、切込み１２０ｅの上側に切込み１２０ｅに沿って形成され、辺部３４−８は、切込み１２０ｆの上側及び内側に切込み１２０ｆに沿って形成され、辺部３４−９は、切込み１２０ｇの内側に切込み１２０ｇに沿って形成され、辺部３４−１０は、切込み１２０ｈの上側及び内側に切込み１２０ｈに沿って形成され、辺部３４−１１は、切込み１２０ｉの上側に切込み１２０ｉに沿って形成されている。つまり、折返し片部右側面側領域３５ａの下辺（辺部３４−３と辺部３４−４の一部）は、上側片部右側面側領域３３ａの下辺の上側片部右側面側領域３３ａにおける内側に沿って形成され（「上側片部右側面側領域３３ａの下辺よりも上側片部右側面側領域３３ａにおける内側に沿って形成され」としてもよい）、折返し片部中央領域３５ｂの辺部で、折返し片部右側面側領域３５ａの下辺と折返し片部左側面側領域３５ｃの下辺から連設された辺部（辺部３４−４の一部と辺部３４−５〜辺部３４−９と辺部３４−１０の一部）は、上側片部３２−２の突状部３２−２ａの辺部の突状部３２−２ａにおける内側に沿って形成され（「上側片部３２−２の突状部３２−２ａの辺部よりも突状部３２−２ａにおける内側に沿って形成され」としてもよい）、折返し片部左側面側領域３５ｃの下辺（辺部３４−１０の一部と辺部３４−１１）は、上側片部左側面側領域３３ｃの下辺の上側片部左側面側領域３３ｃにおける内側に沿って形成されている（「上側片部左側面側領域３３ｃの下辺よりも上側片部左側面側領域３３ｃにおける内側に沿って形成されている」としてもよい）。
【００４４】
よって、図３に示すように、正面視において、折返し片部右側面側領域３５ａの下辺の外側（折返し片部右側面側領域３５ａの外側）には、上側片部右側面側領域３３ａが視認され、折返し片部中央領域３５ｂの辺部の外側（折返し片部中央領域３５ｂの外側）には、突状部３２−２ａが視認され、折返し片部左側面側領域３５ｃの下辺の外側（折返し片部左側面側領域３５ｃの外側）には、上側片部左側面側領域３３ｃが視認される。
【００４５】
これにより、上側片部３２−２の下辺領域には、折返し片部３４が設けられていないので、上側片部３２−２の下端を下側片部３２−１の上端の間に間隔を形成した際に、引っ掛け部３８における下端領域（つまり、折返し片部３４が設けられていない領域）と下側片部３２−１との間の間隔をなるべく大きくすることができ、引っ掛け部３８を引っ掛け対象物に引っ掛ける際に、容易に引っ掛けることができる。
【００４６】
また、折返し片部３４には、鉛直方向に折れ線が形成され、折れ線Ｃ１３の延長線上に形成された折れ線（第７折れ線）Ｃ２３と、折れ線Ｃ１４の延長線上に形成された折れ線（第８折れ線）Ｃ２４とが形成されている。折れ線Ｃ２３、Ｃ２４はいずれも鉛直方向（折れ線Ｃ１１や折れ線Ｃ１５と平行な方向）に形成されていて、上側片部３２−２を折れ線Ｃ１３を介して折曲した場合には、同時に折返し片部３４は折れ線Ｃ２３を介して折曲し、上側片部３２−２を折れ線Ｃ１４を介して折曲した場合には、同時に折返し片部３４は折れ線Ｃ２４を介して折曲する。
【００４７】
折返し片部３４において、折れ線Ｃ２３よりも右側面側の領域を折返し片部右側面側領域３５ａとなり、折れ線Ｃ２４よりも左側面側の領域を折返し片部左側面側領域３５ｃとなり、折れ線Ｃ２３と折れ線Ｃ２４間の領域を折返し片部中央領域３５ｂとなる。また、折返し片部３４は、下方に突出した突状部３４ａと、折返し片部３４における突状部３４ａ以外の領域である基部３４ｂとを有している。
【００４８】
また、引っ掛け部３８において、上側片部右側面側領域３３ａと折返し片部右側面側領域３５ａとで引っ掛け部右側面側領域３８ａが構成され、上側片部中央領域３３ｂと折返し片部中央領域３５ｂとで引っ掛け部中央領域３８ｂが構成され、上側片部左側面側領域３３ｃと折返し片部左側面側領域３５ｃとで引っ掛け部左側面側領域３８ｃが構成される。
【００４９】
なお、引っ掛け部３８は、上側片部３２−２と折返し片部３４により構成されるので、強度を大きくすることができる。つまり、上側片部３２−２を折返し片部３４により補強することができる。また、折返し片部３４は、背面部本体３２の正面側に折り返されているので、背面部３０の背面側を見栄えよくすることができる。なお、折返し片部３４を背面部本体３２の背面側に折り返して背面部本体３２の背面側の面に接着してもよい。
【００５０】
また、左側面部４０は、背面部本体３２から折れ線（第３折れ線）Ｃ１５を介して連設され、方形状における正面上側を斜めに欠切した形状を呈し、下側を構成する方形状の上側に台形形状をつないだ形状を呈している。つまり、左側面部４０は、右側面部２０と左右対称に形成されている。左側面部４０が右側面部２０と左右対称である以外は同一の構成であるので、詳しい説明を省略する。
【００５１】
なお、左側面部４０には、背面部本体３２に形成された切込み１２０の端部から連設された切込み（第３切目線）１２４が形成されている。この切込み１２４は、切込み１２０から連設され、水平方向（左側面部４０の下辺と平行な方向）に形成された横方向部１２４−１と、横方向部１２４−１の切込み１２０側とは反対側の端部に下方に向けて円弧状に形成された円弧状部１２４−２とを有している。
【００５２】
また、切込み１２４の正面側の端部付近（横方向部１２４−１の正面側の端部としてもよい）からは上方に折れ線（第４折れ線）Ｃ１６が形成され、折れ線Ｃ１６は、折れ線Ｃ１５と平行に形成されている。折れ線Ｃ１５と折れ線Ｃ１６とは間隔を介して形成されている。
【００５３】
なお、折れ線Ｃ１５と折れ線Ｃ１６間の長さは、折れ線Ｃ１０と折れ線Ｃ１１間の長さと同一（略同一としてもよい）に形成されている。
【００５４】
左側面部４０に切込み１２４と折れ線Ｃ１６が形成されていることにより、折れ線Ｃ１６よりも背面側の領域が左側面部部分領域４１ａとなり、左側面部４０において、左側面部部分領域４１ａ以外の領域が左側面部本体領域４１ｂとなる。
【００５５】
なお、箱体Ａの展開状態において、切込み１２０ａと横方向部１２２−１とは１つの直線状を呈し、また、切込み１２０ｉと横方向部１２４−１とは１つの直線状を呈している。
【００５６】
また、糊代部４５は、略台形形状を呈するとともに、正面部１２との間の折れ線に沿って略帯状に形成され、左側面部４０の内側の面における正面側の端部領域に接着されている。
【００５７】
なお、正面部１２と右側面部２０と背面部３０と左側面部４０と糊代部４５とでスリーブ状部５が構成される。
【００５８】
また、底面部５０は、第１片部６０と、第２片部７０と、第３片部８０と、第４片部９０とを有し、箱体Ａの組立て状態においては、図４に示すように、略方形状の外形を呈している。この底面部５０は、いわゆるワンタッチ底と呼ばれるものである。
【００５９】
ここで、第１片部６０は、正面構成部１０の下端から折れ線を介して連設され、先端側にいくほど幅狭となる略台形形状に形成され、その上面の一部が箱体Ａの内底面の一部を形成している。この第１片部６０は、底面部５０の組立て状態においては、底面部５０の中心点を中心に第４片部９０と点対称に形成されている。
【００６０】
また、第２片部７０は、背面部本体３２の下端から折れ線を介して連設され、略長方形状に形成され、第２片部７０の上面の一部が箱体Ａの内底面の一部を形成している。また、第２片部７０の角部（背面部本体３２と左側面部４０の境界位置の角部）からは第２片部７０の背面部本体３２との境界をなす辺部に対して斜めに折れ線７０−１（この折れ線７０−１は、上面側が山折れ線となっている）が形成され、箱体Ａを折り畳む際に、容易に折り畳むことができるようになっている。第２片部７０は、折れ線７０−１を介して本体部７２と先端部７４とに区画される。本体部７２の先端の先端部７４側には、他方の本体部８２と互いに係止するように切欠部７２ａが形成されている。先端部７４の上面は、第４片部９０の下面に接着されている。すなわち、第４片部９０に接着剤が塗布され、先端部７４に接着されている。先端部７４に接着剤を塗布して第４片部９０と接着してもよい。
【００６１】
また、第３片部８０は、正面部１２の下端から折れ線を介して連設され、底面部５０の組立て状態においては、底面部５０の中心点を中心に第２片部７０と点対称に形成されている。すなわち、第３片部８０は、正面部１２の下端から折れ線を介して連設され、略長方形状に形成され、第３片部８０の上面の一部が箱体Ａの内底面の一部を形成している。また、第３片部８０の角部（右側面部２０と正面部１２の境界位置の角部）からは第３片部８０の正面部１２との境界をなす辺部に対して斜めに折れ線８０−１（この折れ線８０−１は、上面側が山折れ線となっている）が形成され、箱体Ａを折り畳む際に、容易に折り畳むことができるようになっている。第３片部８０は、折れ線８０−１を介して本体部８２と先端部８４とに区画される。本体部８２の先端の先端部８４側には、他方の本体部７２と互いに係止するように切欠部８２ａが形成されている。先端部８４の上面は、第１片部６０の下面に接着されている。すなわち、第１片部６０に接着剤が塗布され、先端部８４に接着されている。先端部８４に接着剤を塗布して第１片部６０と接着してもよい。
【００６２】
また、第４片部９０は、左側面部４０の下端から折れ線を介して連設され、先端側にいくほど幅狭となる略台形形状に形成され、その上面の一部が箱体Ａの内底面の一部を形成している。
【００６３】
底面部５０は、ワンタッチ底であるとして説明したが、他の形状でもよく、例えば、地獄底の形状としてもよい。
【００６４】
上記構成の箱体Ａの使用状態について説明する。箱体Ａは、底面部５０を折り畳んだ状態とすることにより、図７に示すように折り畳み状態とすることができ、折り畳み状態では、左側面部４０は、背面部３０と略平行となり、右側面部２０は、正面部１２、折返し片部１４、内底面部１６と略平行となっている。なお、この折り畳み状態では、折返し片部１４は、正面部１２に対して折曲しておらず、内底面部１６は、折返し片部１４に対して折曲しておらず、正面部１２と折返し片部１４と内底面部１６は１つの平板状となっている。つまり、折返し片部１４と内底面部１６とは正面部１２の上方に伸びた状態となっている。
【００６５】
箱体Ａの折り畳み状態からスリーブ状部５を四角筒状に形成して、右側面部２０が正面部１２及び背面部３０と直角となり、左側面部４０が正面部１２及び背面部３０と直角となるようにすることにより、底面部５０が略平板状となって、図８に示す状態となる。
【００６６】
その後、折返し片部１４を正面部１２に対して折り返した状態として、折返し片部１４の下端の突状部１４−２、１４−３を第３片部８０の穴部（突状部１２−２、１２−３を形成したことによる穴部）に嵌合させるとともに、内底面部１６を折返し片部１４に対して折曲して底面部５０の上側に水平に配置することにより、図１、図２に示す状態に組み立てられる。以上のようにして、折返し片部１４の下端が固定され、内底面部１６が水平に配置されるので、底面部５０が折り畳んだ状態となるのを防止することができる。
【００６７】
次に、箱体Ａを引っ掛け対象物に引っ掛ける際の使用状態について説明する。箱体Ａを引っ掛け対象物に引っ掛ける際には、引っ掛け部３８を下側片部３２−１に対して背面側に押すことにより、右側面部部分領域２１ａが、右側面部本体領域２１ｂに対して回動し（具体的には、右側面部部分領域２１ａが右側面部本体領域２１ｂに対して内側に折曲する）、上側片部右側面側領域３３ａが右側面部部分領域２１ａに対して回動し（具体的には、上側片部右側面側領域３３ａが右側面部部分領域２１ａに対して外側に折曲する）、上側片部中央領域３３ｂが上側片部右側面側領域３３ａに対して回動し（具体的には、上側片部中央領域３３ｂが上側片部右側面側領域３３ａに対して外側に折曲する）、左側面部部分領域４１ａが、左側面部本体領域４１ｂに対して回動し（具体的には、左側面部部分領域４１ａが左側面部本体領域４１ｂに対して内側に折曲する）、上側片部左側面側領域３３ｃが左側面部部分領域４１ａに対して回動し（具体的には、上側片部左側面側領域３３ｃが左側面部部分領域４１ａに対して外側に折曲する）、上側片部中央領域３３ｂが上側片部左側面側領域３３ｃに対して回動し（具体的には、上側片部中央領域３３ｂが上側片部左側面側領域３３ｃに対して外側に折曲する）、上側片部中央領域３３ｂ及び上側片部中央領域３３ｂに接着された折返し片部中央領域３５ｂは、下側片部３２−１と平行に背面側にスライドする。
【００６８】
なお、上側片部３２−２が折れ線Ｃ１３、Ｃ１４を介して折曲する際には、折返し片部３４が折れ線Ｃ２３、Ｃ２４を介して折曲する。
【００６９】
すると、引っ掛け部３８と下側片部３２−１間に隙間が形成されるので、この隙間から引っ掛け対象物を挿入し、箱体Ａを引っ掛け対象物に引っ掛けることができる。例えば、引っ掛け対象物が引っ掛け什器のバーである場合には、図１３、図１４に示すように、引っ掛け什器のバーＢを引っ掛け部中央領域３８ｂと下側片部３２−１とで挟むようにして、バーＢに引っ掛けることができる。
【００７０】
特に、右側面部部分領域２１ａや左側面部部分領域４１ａを内側に回動させることにより、引っ掛け部３８（特に、引っ掛け部中央領域３８ｂ）と下側片部３２−１間の隙間を大きくでき、厚みのある引っ掛け対象物（引っ掛け箇所）でも引っ掛けることができる。また、上側片部中央領域３３ｂ及び上側片部中央領域３３ｂに接着された折返し片部中央領域３５ｂは、下側片部３２−１と平行に背面側にスライドするので、引っ掛け部中央領域３８ｂと下側片部３２−１間の隙間の幅を略均一にでき、引っ掛け対象物を引っ掛けしやすくできる。
【００７１】
なお、図１０〜図１４に示すように、右側面部部分領域２１ａと上側片部右側面側領域３３ａとを折れ線Ｃ１１を介して折曲しない態様として、右側面部部分領域２１ａと上側片部右側面側領域３３ａとを１枚の平板状とするとともに、左側面部部分領域４１ａと上側片部左側面側領域３３ｃとを折れ線Ｃ１５を介して折曲しない態様として、左側面部部分領域４１ａと上側片部左側面側領域３３ｃとを１枚の平板状とすることにより、引っ掛け部中央領域３８ｂと下側片部３２−１間の前後方向の距離を大きくすることができる。
【００７２】
なお、図１３、図１４は、折れ線Ｃ１１、折れ線Ｃ１５を折曲しない状態を示しているが、図９に示すように、折れ線Ｃ１１、Ｃ１５が折曲した状態の場合でも、図１０〜図１４の場合に比べて、引っ掛け部中央領域３８ｂと下側片部３２−１間の前後方向の距離は短いが、引っ掛け対象物に引っ掛けることができる。
【００７３】
また、上側片部３２−２には、縦方向に折れ線Ｃ１３、Ｃ１４が設けられ、折返し片部３４には、縦方向に折れ線Ｃ１３、Ｃ１４が設けられているとしたが、これらの折れ線が設けられていない構成としてもよい。その場合でも、箱体Ａが紙製であることにより、右側面部部分領域２１ａを右側面部本体領域２１ｂに対して内側に回動させるとともに、左側面部部分領域４１ａを左側面部本体領域４１ｂに対して内側に回動させることにより、上側片部３２−２の左右両側の端部間の距離が短くなるので、引っ掛け部３８が背面側にたわんで、引っ掛け部３８における突状部３２−２ａや突状部３４ａが形成された領域と下側片部３２−１との間に前後方向に隙間が形成され、該隙間に引っ掛け対象物に引っ掛けることができる。特に、右側面部部分領域２１ａや左側面部部分領域４１ａを内側に回動させることにより、該隙間を大きくでき、厚みのある引っ掛け箇所でも引っ掛けることができる。
【符号の説明】
【００７４】
Ａ  箱体
１０  正面構成部
１２  正面部
１４  内正面部
１６  内底面部
２０  右側面部
２１ａ  右側面部部分領域
２１ｂ  右側面部本体領域
３０  背面部
３２  背面部本体
３２−１  下側片部
３２−２  上側片部
３２−２ａ  突状部
３２−２ｂ  基部
３３ａ  上側片部右側面側領域
３３ｂ  上側片部中央領域
３３ｃ  上側片部左側面側領域
３４  折返し片部
３４ａ  突状部
３４ｂ  基部
３５ａ  折返し片部右側面側領域
３５ｂ  折返し片部中央領域
３５ｃ  折返し片部左側面側領域
３８  引っ掛け部
３８ａ  引っ掛け部右側面側領域
３８ｂ  引っ掛け部中央領域
３８ｃ  引っ掛け部左側面側領域
４０  左側面部
４１ａ  左側面部部分領域
４１ｂ  左側面部本体領域
５０  底面部
６０  第１片部
７０  第２片部
８０  第３片部
９０  第４片部
１２０、１２２、１２４  切込み
Ｃ１０、Ｃ１１、Ｃ１３、Ｃ１４、Ｃ１５、Ｃ１６、Ｃ１７、Ｃ２３、Ｃ２４  折れ線
Ｂ  バー
【図１】
0003196128.tif 000003
【図２】
0003196128.tif 000004
【図３】
0003196128.tif 000005
【図４】
0003196128.tif 000006
【図５】
0003196128.tif 000007
【図６】
0003196128.tif 000008
【図７】
0003196128.tif 000009
【図８】
0003196128.tif 000010
【図９】
0003196128.tif 000011
【図１０】
0003196128.tif 000012
【図１１】
0003196128.tif 000013
【図１２】
0003196128.tif 000014
【図１３】
0003196128.tif 000015
【図１４】
0003196128.tif 000016